(57)【要約】      （修正有）【課題】長さ、径等の異なる中空円筒状の被破砕物を簡単な構成により、効率よく破砕することができる経済的な破砕装置を提供する。【解決手段】保持室１７の被破砕物１８の挿入方向に沿って、互いに平行に配置された各回転軸９、１４で対をなすように対向して軸支され、それぞれの外周に切欠部２４を設けると共に、被破砕物１８を破砕する回転刃２５を設けた一対の破砕ロータ２２、２３と、回転軸９、１４に軸支され、外周に切欠部２８を設けると共に、前記被破砕物１８を挟持するよう設けられた少なくとも二対の挟持体２６、２７とを備え、各切欠部２４、２８が各回転軸９、１４方向に沿って合致するように設定され被破砕物１８の中空部４７が挿入され、挿入された部分が回転する一対のロータ２２，２３により破砕された後、一方の破砕ロータ２２に、次に破砕される被破砕物１８の中空部４７が挿入され、被破砕物１８を順次破砕するようにしたものである。【選択図】    図４
2006314930.tif 000002
【特許請求の範囲】
【請求項１】
破砕装置本体と、
この破砕装置本体に設けられ、挿入される中空円筒状の被破砕物を保持するための保
持室と、
この保持室から供給される前記被破砕物を受けて、破砕処理する破砕室と、
この破砕室に設けられ、前記保持室の前記被破砕物の挿入方向に沿って、互いに平行
に配置された各回転軸に、それぞれが前記回転軸間で対をなすように対向して軸支され、
それぞれの外周に切欠部を設けると共に、前記被破砕物を破砕する回転刃を設けた一対の
破砕ロータと、
この各々の破砕ロータの近傍であって保持室側に臨み、互いに間隔をもって配置され
、それぞれが前記回転軸間で対をなすように対向して前記各回転軸に軸支され、外周に切
欠部を設けると共に、挿入される前記被破砕物を挟持するよう設けられた少なくとも二対
の挟持体とを備え、
前記一対の破砕ロータと、前記二対の挟持体は、各切欠部が前記各回転軸方向に沿っ
て合致するように設定され前記各回転軸に軸支され、前記各切欠部が前記各回転軸間で互
いに対向位置した状態において、対向する前記各破砕ロータ間および前記挟持体間に、切
欠部による間隙部が形成されるようにし、前記各回転軸の回転に伴ない、前記間隙部が形
成された回転状態時、前記間隙部を介して前記一方の破砕ロータに前記被破砕物の中空部
が挿入され、挿入された部分が回転する前記一対の破砕ロータにより破砕された後、再び
前記切欠部による間隙部が形成された回転状態時になったとき、前記一方の破砕ロータに
、次に破砕される前記被破砕物の中空部が挿入され、前記一対の破砕ロータにより破砕さ
れるようにし、前記被破砕物を順次破砕するようにしたことを特徴とする破砕装置。
【請求項２】
破砕装置本体と、
この破砕装置本体に設けられ、挿入される中空円筒状の被破砕物を保持するための保
持室と、
この保持室から供給される前記被破砕物を受けて、破砕処理する破砕室と、
この破砕室に設けられ、前記保持室の前記被破砕物の挿入方向に沿って配置された各
回転軸に、外周に切欠部を設けると共に、前記被破砕物を破砕する回転刃を設けた破砕ロ
ータと、
この破砕ロータの近傍であって保持室側に臨み、互いに間隔をもって配置され、前記
回転軸に軸支され、外周に切欠部を設けた少なくとも２つの挟持体と、
前記破砕室に設けられ、前記破砕ロータおよび前記各挟持体と互いに対をなすように
平行して回動自在に取り付けられ、挿入される前記被破砕物を案内すると共に対向する前
記挟持体と共に挟持するように設けられた破砕軸とを備え、
前記破砕ロータと、前記各挟持体は、前記各切欠部が前記回転軸方向に沿って合致し
て位置するように設定され前記回転軸に軸支され、前記各切欠部が合致した状態において
、この前記破砕ロータおよび前記各挟持体と、対向する前記破砕軸との間に、切欠部によ
る間隙部が形成されるようにし、前記回転軸の回転に伴ない、前記間隙部が形成された回
転状態時、前記間隙部を介して前記破砕軸に前記被破砕物の中空部が挿入され、
挿入された前記被破砕物のうち、前記破砕ロータに臨んだ部分が、回転する前記破砕ロー
タにより破砕された後、再び前記切欠部による間隙部が形成された回転状態時になったと
き、前記破砕軸の前記破砕ロータと対向する部分に、次に破砕される前記被破砕物の中空
部が挿入され、前記破砕ロータに臨んだ部分が回転する前記破砕ロータにより破砕される
ようにし、前記被破砕物を順次破砕するようにしたことを特徴とする破砕装置。
【請求項３】
破砕装置本体と、
この破砕装置本体に設けられ、挿入される中空円筒状の被破砕物を保持するための保
持室と、
この保持室から供給される前記被破砕物を受けて、破砕処理する破砕室と、
この破砕室に設けられ、互いに平行に配置された各回転軸に、それぞれが前記回転軸
間で対をなすように対向して軸支され、それぞれの外周に切欠部を設けると共に、前記被
破砕物を破砕する回転刃を設けた一対の破砕ロータとを備え、
前記保持室を、前記被破砕物が、前記一対の破砕ロータのそれぞれの回転軸に対して
略直交する方向であって、前記一対の各破砕ロータ間の導入側から挿入されるように配置
し、前記被破砕物を前記一対の破砕ロータにより破砕させるようにしたことを特徴とする
破砕装置。
【請求項４】
破砕ロータに設けた回転刃は、外周に被破砕物を所定長さに切断するための円弧状の切断刃と、この円弧状の切断刃の中途に設けられた切欠部と、前記切断刃により切断された前記被破砕物を破砕するための破砕刃とを備え、この破砕刃は前記切断刃に略直交し、前記切断刃の外周に沿って複数設けられ、隣接する前記破砕刃と前記破砕刃との間は切欠部であり、前記破砕刃の先端と前記切断刃の先端とは略同面であることを特徴とする請求
項１および請求項２記載の破砕装置。
【請求項５】
破砕ロータに設けた回転刃は、外周に被破砕物を所定長さに切断するための円弧状の切断刃と、この円弧状の切断刃の中途に設けられた切欠部と、前記切断刃により切断された前記被破砕物を破砕するための破砕刃とを備え、この破砕刃は前記切断刃に略直交し、前記切断刃の外周に沿って複数設けられ、隣接する前記破砕刃と前記破砕刃との間は切欠部であり、前記破砕刃の先端と前記切断刃の先端とは略同面であり、前記破砕刃と前記切断刃とは接離自在な別部材で形成されていることを特徴とする請求項１および請求項２記載の破砕装置。
【発明の詳細な説明】
【技術分野】
【０００１】
本発明は、破砕装置に関するもので、詳しくは、不要品となった塩ビ管等の中空円筒
状の被破砕物を、簡単な構成により、効率よく、しかも、長さ、径等の異なる被破砕物に対して対応し、破砕することができるようにした破砕装置に関する。
【背景技術】
【０００２】
従来の破砕装置としては、ハンマクラッシャを用いる方法がある。しかし、ハンマクラッシャを用いる方法のものにあっては、中空円筒状の被破砕物を破砕するには、その構造上、駆動力として大きな容量のものが必要となり、経済的ではなく、そして、破砕時の振動、騒音が大きくなる欠点がある。
【発明の開示】
【発明が解決しようとする課題】
【０００３】
本発明は、前記した問題点を解決するためになされた破砕装置を提供することを目的とする。
【課題を解決するための手段】
【０００４】
前記した問題を解決するための本発明の手段は、破砕装置本体と、この破砕装置本体に設けられ、挿入される中空円筒状の被破砕物を保持するための保持室と、この保持室から供給される前記被破砕物を受けて、破砕処理する破砕室と、この破砕室に設けられ、前記保持室の前記被破砕物の挿入方向に沿って、互いに平行に配置された各回転軸に、それぞれが前記回転軸間で対をなすように対向して軸支され、それぞれの外周に切欠部を設けると共に、前記被破砕物を破砕する回転刃を設けた一対の破砕ロータと、この各々の破砕ロータの近傍であって保持室側に臨み、互いに間隔をもって配置され、それぞれが前記回転軸間で対をなすように対向して前記各回転軸に軸支され、外周に切欠部を設けると共に、挿入される前記被破砕物を挟持するよう設けられた少なくとも二対の挟持体とを備え、前記一対の破砕ロータと、前記二対の挟持体は、各切欠部が前記各回転軸方向に沿って合致するように設定され前記各回転軸に軸支され、前記各切欠部が前記各回転軸間で互いに対向位置した状態において、対向する前記各破砕ロータ間および前記挟持体間に、切欠部による間隙部が形成されるようにし、前記各回転軸の回転に伴ない、前記間隙部が形成された回転状態時、前記間隙部を介して前記一方の破砕ロータに前記被破砕物の中空部が挿入され、挿入された部分が回転する前記一対の破砕ロータにより破砕された後、再び前記切欠部による間隙部が形成された回転状態時になったとき、前記一方の破砕ロータに、次に破砕される前記被破砕物の中空部が挿入され、前記一対の破砕ロータにより破砕されるようにし、前記被破砕物を順次破砕するようにしたものである。
【０００５】
また、請求項２記載の破砕装置は、破砕装置本体と、この破砕装置本体に設けられ、挿入される中空円筒状の被破砕物を保持するための保持室と、この保持室から供給される前記被破砕物を受けて、破砕処理する破砕室と、この破砕室に設けられ、前記保持室の前記被破砕物の挿入方向に沿って配置された各回転軸に、外周に切欠部を設けると共に、前記被破砕物を破砕する回転刃を設けた破砕ロータと、この破砕ロータの近傍であって保持室側に臨み、互いに間隔をもって配置され、前記回転軸に軸支され、外周に切欠部を設けた少なくとも２つの挟持体と、前記破砕室に設けられ、前記破砕ロータおよび前記各挟持体と互いに対をなすように平行して回動自在に取り付けられ、挿入される前記被破砕物を案内すると共に対向する前記挟持体と共に挟持するように設けられた破砕軸とを備え、前記破砕ロータと、前記各挟持体は、前記各切欠部が前記回転軸方向に沿って合致して位置するように設定され前記回転軸に軸支され、前記各切欠部が合致した状態において、この前記破砕ロータおよび前記各挟持体と、対向する前記破砕軸との間に、切欠部による間隙部が形成されるようにし、前記回転軸の回転に伴ない、前記間隙部が形成された回転状態時、前記間隙部を介して前記破砕軸に前記被破砕物の中空部が挿入され、挿入された前記被破砕物のうち、前記破砕ロータに臨んだ部分が、回転する前記破砕ロータにより破砕された後、再び前記切欠部による間隙部が形成された回転状態時になったとき、前記破砕軸の前記破砕ロータと対向する部分に、次に破砕される前記被破砕物の中空部が挿入され、前記破砕ロータに臨んだ部分が回転する前記破砕ロータにより破砕されるようにし、前記被破砕物を順次破砕するようにしたものである。
【０００６】
また、請求項３記載の破砕装置は、破砕装置本体と、この破砕装置本体に設けられ、挿入される中空円筒状の被破砕物を保持するための保持室と、この保持室から供給される前記被破砕物を受けて、破砕処理する破砕室と、この破砕室に設けられ、互いに平行に配置された各回転軸に、それぞれが前記回転軸間で対をなすように対向して軸支され、それぞれの外周に切欠部を設けると共に、前記被破砕物を破砕する回転刃を設けた一対の破砕ロータとを備え、前記保持室を、前記被破砕物が、前記一対の破砕ロータのそれぞれの回転軸に対して略直交する方向であって、前記一対の各破砕ロータ間の導入側から挿入されるように配置し、前記被破砕物を前記一対の破砕ロータにより破砕させるようにしたものである。
【０００７】
また、請求項４記載の破砕装置は、請求項１および請求項２記載の破砕装置において
、破砕ロータに設けた回転刃は、外周に被破砕物を所定長さに切断するための円弧状の切断刃と、この円弧状の切断刃の中途に設けられた切欠部と、前記切断刃により切断された前記被破砕物を破砕するための破砕刃とを備え、この破砕刃は前記切断刃に略直交し、前記切断刃の外周に沿って複数設けられ、隣接する前記破砕刃と前記破砕刃との間は切欠部であり、前記破砕刃の先端と前記切断刃の先端とは略同面である。
【０００８】
また、請求項５記載の破砕装置は、請求項１および請求項２記載の破砕装置において
、破砕ロータに設けた回転刃は、外周に被破砕物を所定長さに切断するための円弧状の切断刃と、この円弧状の切断刃の中途に設けられた切欠部と、前記切断刃により切断された前記被破砕物を破砕するための破砕刃とを備え、この破砕刃は前記切断刃に略直交し、前記切断刃の外周に沿って複数設けられ、隣接する前記破砕刃と前記破砕刃との間は切欠部であり、前記破砕刃の先端と前記切断刃の先端とは略同面であり、前記破砕刃と前記切断刃とは接離自在な別部材で形成されている。
【発明の効果】
【０００９】
請求項１記載の破砕装置によれば、中空円筒状の被破砕物を保持するための保持室と
、被破砕物を破砕処理する破砕室と、この破砕室に、外周に切欠部を設けた一対の破砕ロ
ータを設け、この破砕ロータの近傍に、外周に切欠部を設けた少なくとも二対の挟持体を
設け、破砕ロータおよび挟持体は、それぞれに設けた各切欠部が各回転軸方向に沿って合
致するように設定され各回転軸に軸支され、各切欠部が各回転軸間で互いに対向位置した
状態において、これらの間に形成される間隙部を介して一方の破砕ロータに被破砕物の中
空部が挿入され、被破砕物が挟持体に挟持されつつ破砕ロータにより破砕され、破砕され
た後、再び切欠部による間隙部が形成された回転状態時になったとき、一方の破砕ロータ
に、次に破砕される被破砕物の中空部が挿入され、順次破砕されるようにしたため、中空
円筒状の被破砕物を簡単な構成により、効率よく破砕できる。また、被破砕物が長い場合
であっても、短い場合であっても、保持室により案内保持されるため、長さの長短に関係
なく、広範な長さのものに対応して破砕できる。さらに破砕できる被破砕物の径も、中空
部が一方の破砕ロータに挿入できるもの、つまり、中空部の径が一方の破砕ロータの外形以上の広範な径のものに対応して破砕することができ、経済的である。また、被破砕物が破砕ロータにより破砕される際、被破砕物が対向する挟持体で挟持されるため、破砕作用をより確実に行なえる。
【００１０】
また、請求項２記載の破砕装置によれば、保持室と破砕室とを設け、回転軸に軸支した破砕ロータおよび各挟持体と、回動自在な破砕軸とを互いに対向させ、回転軸の回転に伴ない、これら互いの間に間隙部が生じたとき、この間隙部を介して被破砕物の中空部を破砕軸に挿入させ、破砕ロータにより順次破砕するようにしたため、中空円筒状の被破砕物を、簡単な構成により、効率よく破砕できる。また、保持室により、被破砕物の長さの長短に関係なく、広範な長さのものに対応して破砕できる。さらに、破砕できる被破砕物の径も、中空部が破砕軸に挿入できるもの、つまり、中空部の径が、破砕軸の外形以上の広範な径のものに対応して破砕することができ、経済的である。また、被破砕物が破砕ロータにより破砕される際、被破砕物が対向する、挟持体と破砕軸とで挟持されるため、破砕作用をより確実に行なえる。また、被破砕物を破砕するにあたり、この１つの破砕ロータを、対向する破砕ロータとの組合わせで破砕する手段の破砕にも、また、対向する破砕軸との組合わせで破砕する手段の破砕にも、兼用して利用することも可能となるため、破砕ロータを有効活用でき、より経済的である。
【００１１】
また、請求項３記載の破砕装置によれば、保持室と破砕室とを設け、この破砕室に、一対の破砕ロータを設け、保持室を、中空円筒状の被破砕物が、一対の破砕ロータのそれぞれの各回転軸に対して略直交する方向であって、一対の各破砕ロータ間の導入側から挿入されるように配置し、被破砕物を一対の破砕ロータにより破砕するようにしたため、中空円筒状の被破砕物を、簡単な構成により、効率よく破砕できる。また保持室により、被破砕物の長さの長短に関係なく、広範な範囲の長さのものに対応して破砕できる。さらに、破砕できる被破砕物の径も、各破砕ロータ間の導入側から破砕ロータ間に導入し得る範囲の径までの広範な径のものに対応して破砕することができ、経済的である。また、被破砕物を破砕するにあたり、この一対の破砕ロータを、破砕ロータに対して、被破砕物を軸方向に挿入して破砕する手段の破砕にも、また、軸方向に略直交する方向に挿入して破砕する手段の破砕にも、兼用して利用することも可能となるため、一対の破砕ロータを有効活用でき、より経済的である。
【００１２】
また、請求項４記載の破砕装置によれば、破砕ロータに設けた回転刃は、被破砕物を所定長さに切断するための切断刃と、被破砕物を破砕するための破砕刃とを備えるようにしたため、被破砕物を効果的に効率よく破砕できる。
【００１３】
また、請求項５記載の破砕装置によれば、前述の請求項４記載の発明の効果に加え、破砕刃と切断刃とは接離自在な別部材で形成されているため、破砕刃、切断刃の内、何れか一方が破損、摩耗等した場合、何れか一方を交換することにより対応することができる。
【実施例】
【００１４】
以下、本発明の破砕装置の一実施例について図面に従って説明する。１は破砕装置本
体で、この破砕装置本体１は、設置床面に据付するための基台２および、この基台２に取り付けられた支持台３により支持されている。４は低速回転するギアドモータで、このギアドモータ４の軸５には、スプロケット６が取り付けられている。７はケーシング８により包囲されて、内部に破砕装置本体１を駆動する伝導手段を備えた駆動室である。９は駆動室７のケーシング８に取り付けられた軸受１０、１０に回動自在に支持された回転軸であり、この回転軸９の一側には、ギア１１とスプロケット１２が取り付けてある。そして、このスプロケット１２とスプロケット６間にはチェーン１３がかけられ、チェーン伝導機構が形成されている。また、１４は回転軸９と対をなすように平行して設けられた回転軸であり、この回転軸１４は回転軸９と同様に、ケーシング８に取り付けた軸受１５、１５に回動自在に支持されている。この回転軸１４の一側には、ギア１１とかみ合うギア１６を取り付けてある。
【００１５】
一方、図４に示す１７は破砕装置本体１に設けられ、挿入される中空円筒状の被破砕物（例えば、不要品となった塩ビ管）１８を保持するための保持室である。この保持室１７はケーシング１９により形成させ、ケーシング１９の一部を、挿入される被破砕物１８より大きい径の円筒体２０で形成している。また、２１は、この保持室１７から供給される被破砕物１８を受けて、破砕処理する破砕室である。さらに、２２、２３は、この破砕室２１に設けられ、保持室１７の被破砕物１８の挿入方向に沿って、互いに平行に配置された回転軸９、１４に、それぞれが回転軸９、１４間に対をなすように対向して軸支され、それぞれの外周に切欠部２４を設けると共に、被破砕物１８を破砕する複数の回転刃２５を設けた一対の破砕ロータである。２６、２６、２７、２７は、この各々の破砕ロータ２２、２３の近傍であって保持室１７側に臨み、互いに間隔をもって配置され、それぞれが前記回転軸９、１４間で対をなすように対向して、各回転軸９、１４に軸支され、外周に切欠部２８を設けると共に、挿入される被破砕物１８を挟持する複数の突部２９を設けた少なくとも二対の挟持体である。つまり、破砕ロータ２２、２３に設けた回転刃は、外周に被破砕物１８を所定長さに切断するための円弧状の切断刃４８、４８と、この円弧状の切断刃４８、４８の中途に設けられた切欠部４８ａ、４８ａと、切断刃４８、４８により切断された被破砕物１８を破砕するための破砕刃４９、４９とを備え、この破砕刃４９、４９は切断刃４８、４８に略直交し、切断刃４８、４８の外周に沿って複数設けられ、隣接する破砕刃４８と破砕刃４８との間は切欠部４９であり、破砕刃４９の先端と切断刃４８の先端とは略同面となっている。そして、破砕刃４９と切断刃４８とは接離自在な別部材で形成されている。破砕ロータ２２、２３と、二対の挟持体２６、２６、２７、２７は、互いの切欠部２４、２４、２８、２８、２８、２８が回転軸９、１４方向に沿って合致するように設定され、回転軸９、１４に軸支されている。そして、各切欠部２４、２８が回転軸９、１４間で互いに対向位置した状態において、対向する各破砕ロータ２２、２３間および挟持体間２６、２７間、２６、２７間の各間に切欠部２４、２８による間隙部３０が形成されるようにしてある。なお、３１、３２は回転軸９、１４に軸支された被破砕物１８を案内するための案内筒である。そして、各破砕ロータ２２、２３、各挟持体２６、２７および各案内筒３１、３２は回転軸９、１４にネジ３３を介して固定されている。
【００１６】
一方、図４に示す３４は、破砕装置本体１に設けられ、挿入される中空円筒状の被破砕物（例えば、中空円筒状の被破砕物１８の径より小さい不要品となった塩ビ管）３５を保持するための、保持室１７とは別の保持室である。そして、この保持室３４はケーシング１９の一部を、挿入される被破砕物３５の径より大きい径の円筒体３６で形成している。この保持室３４は、保持室１７と平行して並設され、破砕室２１に臨むよう設けてある。３７は、破砕室２１に設けられ、破砕ロータ２３および各挟持体２７、２７と互いに対をなすように平行して回動自在に取り付けられ、挿入される被破砕物３５を案内すると共に、対向する挟持体２７、２７と共に被破砕物３５を挟持するように設けられた回転駆動する破砕軸（破砕軸３７は、回転軸１４の回転を図示しない歯車を介して回転するようになっている。）である。そして、回転軸１４が回転され、破砕ロータ２３および、各挟持体２７、２７の各切欠部２８が回転軸１４方向に合致した状態において、破砕軸３７と対向した回転状態時に、互いに対向する、破砕ロータ２３、各挟持体２７と、破砕軸３７との間に、各切欠部２８による間隙部３８が形成されるようにしてある。
【００１７】
また、図１、図３、図６及び図１６に示す３９は、破砕装置本体１に設けられ、挿入される中空円筒状の被破砕物（例えば、中空円筒状の被破砕物３５の径より小さい不要品となった塩ビ管）４０を保持するための、保持室１７、３４とは別の保持室である。この保持室３９は破砕室２１のケーシング４１に取り付けられ、被破砕物４０が、一対の破砕ロータ２２、２３のそれぞれの回転軸９、１４に対して略直交する方向であって、一対の各破砕ロータ２２、２３間の導入側４２から挿入されるように配置してあり、導入側４２に向かって低くなるように傾斜させてある。この保持室３９は、挿入される被破砕物４０より大きい径の円筒体４３で形成している。また、破砕室２１の下方には破砕された被破砕物を排出するための排出口４４を設けてあり、４５は破砕され細分化された破砕片４６を受ける受箱である。
【００１８】
以上のように構成する破砕装置の動作を説明する。まず、保持室１７を使用して被破砕物１８を破砕する場合について説明する。使用者は図示しない運転スイッチを操作し、ギアドモータ４を駆動させることにより、駆動軸である回転軸９を回転し駆動させる。これによりチエーン１３、ギア１１、１６等が作動し、回転軸９、１４は、図７、図８及び図１０に示す矢印の向きに回転され、各破砕ロータ２２、２３、各挟持体２６、２７、各案内筒３１、３２も回転される。そして、中空円筒状の被破砕物１８を保持室１７に挿入すると、保持室１７が予め傾斜された状態にあるため、被破砕物１８は、それ自身の自重により破砕室２１に向かい落下していくが、挟持体２６、２７の突部２９により遮られ、この挟持体２６、２７部分で停止され待機状態になる。そして、回転軸９、１４がさらに回転し、各破砕ロータ２２、２３、各挟持体２６、２７の各切欠部２４、２８が回転軸９、１４間で互いに対向位置した状態になると、対向する各破砕ロータ２２、２３間、各挟持体２６、２７間、２６、２７間に、各切欠部２４、２８による間隙部３０が形成されるため、この間隙部３０を介して、一方の破砕ロータ２２に、被破砕物１８の端部が破砕室２１の駆動室７側に面したケーシング４１に突き当たるまで、被破砕物１８の中空部４７が挿入される。そして、破砕ロータ２２に挿入された部分が、対向する破砕ロータ２２、２３の回転刃２５により破砕される（図４、図７乃至図１１参照）。つまり、破砕ロータ２２に挿入された被破砕物１８は、破砕される手前の部分が各挟持体２６、２７により挟持された状態で、回転刃２５を形成する切断刃４８により所定長さに切断されつつ、破砕刃４９により破砕され、回転軸９、１４が継続回転することにより、挿入された部分の全周部分が破砕される。そして、破砕された破砕片４６は排出口４４から受箱４５に落下する。また残った被破砕物１８は、破砕ロータ２２の保持室１７側に面した端部で停止され待機状態とされ、この後、再度、各切欠部２４、２８が対向位置する回転状態になったとき、一方の破砕ロータ２２に、次に破砕される被破砕物１８の中空部４７が挿入され、一対の破砕ロータ２２、２３により、被破砕物１８が順次破砕される。この１本の被破砕物１８が終了され、さらに、破砕するものがある場合は、前述と同様の操作で破砕作業が行なわれる。そして全て終了した時点で運転スイッチを停止操作することにより終了する。
【００１９】
次に、保持室３４を使用して被破砕物（例えば、中空円筒状の被破砕物１８の径より小さい不要品となった塩ビ管）３５を破砕する場合について説明する（図４、図７、図１２乃至図１５参照）。ギアドモータ４を駆動させることにより、回転軸９、１４は矢印の向きに回転され、各破砕ロータ２２、２３、各挟持体２６、２７、各案内筒３１、３２も回転される。そして、中空円筒状の被破砕物３５を保持室３４に挿入すると、保持室３４が予め傾斜された状態にあるため、被破砕物３５は、それ自身の自重により破砕室２１に向かい落下していくが、挟持体２７の突部２９により遮られ、この挟持体２７部分で停止され待機状態になる。そして、回転軸１４がさらに回転し、破砕ロータ２３、各挟持体２７の各切欠部２４、２８が回転する破砕軸３７と対向位置した状態になると、対向する、破砕ロータ２３および各挟持体２７と、破砕軸３７との間に、各切欠部２４、２８による間隙部３８が形成されるため、この間隙部３８を介して破砕軸３７に被破砕物３５の中空部５０が挿入され、被破砕物３５の端部が破砕室２１の、駆動室７側に面したケーシング４１に突き当たるまで挿入される。そして、破砕ロータ２３と対向する部分に挿入された部分が、破砕軸３７と対向する破砕ロータ２３の回転刃２５により破砕される。つまり、破砕ロータ２３により被破砕物３５は、切断刃４８により所定長さに切断されつつ、破砕刃４９により破砕され、回転軸１４が継続回転することにより、挿入された部分の全周部分が破砕される。そして、破砕された破砕片４６は排出口４４から受箱４５に落下する。また、残った被破砕物３５は、破砕ロータ２３の保持室３４側に面した端部で停止され待機状態とされ、この後、再度、切欠部２４、２８が破砕軸３７と対向位置する回転状態になったとき、破砕軸３７に、次に、破砕される被破砕物３５の中空部５０が挿入され、破砕ロータ２３により、被破砕物３５が順次破砕され、全て終了した時点で運転スイッチを停止操作することにより、破砕作業が終了する。
【００２０】
さらに、保持室３９を使用して被破砕物（例えば、中空円筒状の被破砕物３５の径より小さい不要品となった塩ビ管）４０を破砕する場合について説明する（図１、図３、図６及び図１６参照）。ギアドモータ４を駆動させることにより、回転軸９、１４は矢印の向きに回転され、各破砕ロータ２２、２３、各挟持体２６、２７、各案内筒３１、３２も回転される。そして、中空円筒状の被破砕物４０を保持室３９に挿入すると、保持室３９が予め傾斜された状態にあるため、被破砕物４０は、それ自身の自重により破砕室２１に向かい落下していく。そして、この被破砕物４０は、一対の破砕ロータ２２、２３のそれぞれの回転軸９、１４に対して略直交する方向であって、この各破砕ロータ２２、２３間の導入側４２に挿入され、一対の破砕ロータ２２、２３により破砕される。そして被破砕物４０は、破砕された都度、それ自身の自重により導入側４２に導入され、被破砕物４０が全て破砕されるまで、破砕作業は継続される。また破砕された破砕片４６は排出口４４から受箱４５に落下する。そして、全て終了した時点で運転スイッチを停止操作することにより、破砕作業が終了する。
【００２１】
このように、この破砕装置１は、簡単な構成により、中空円筒状の被破砕物を保持室
１７、３４、３９に挿入するだけの簡単な操作で効率よく破砕することができる。また各
保持室１７、３４、３９へは、広範の長さの、広範の径の被破砕物１８、３５、４０を挿
入し破砕できるため、より作業性を向上でき、しかも容量の異なる破砕装置を数台設ける
必要もないため、より経済的となる。さらに、１台の破砕装置１に、複数の、例えば保持
室１７、３４、３９を備え、破砕ロータ２２、２３等の限られた構成部品を利用し、複数
の異なった破砕手段を備えることもできるようになるため、、広範な寸法の被破砕物を破
砕処理でき、しかも同時に複数の作業をすることもでき、より経済的である。
【００２２】
なお、この実施例では、保持室を３つ設け、保持室１７、３４、３９の順に大径、中
径、小径の各グループ毎の被破砕物１８、３５、４０の破砕に、適用するようにした場合
を示したが、この径と、これに対応する破砕手段および保持室の設置数等は、限定するも
のではなく、破砕ロータ２２、２３、破砕軸３７、駆動源等、これらの大きさ、容量、数
等を適宜設定することにより、適宜の組合わせ、手段が設定可能であることは勿論である
。
【図面の簡単な説明】
【００２３】
【図１】本発明の破砕装置の一実施例を示す概略側面図である。
【図２】図１を矢印Ａの方向から見た概略平面図である。
【図３】図１を矢印Ｂの方向から見た、一部切り欠いて断面で示す要部の概略正面図である。
【図４】図１の概略縦断面図である。
【図５】図４のＸ−Ｘ線に沿って切断した要部の概略断面図である。
【図６】図４のＹ−Ｙ線に沿って切断した要部の概略断面図である。
【図７】本発明の要部の概略斜視図である。
【図８】図１を矢印Ｂの方向から見た、一部切り欠いて断面で示すもので、被破砕物が破砕される前の使用状態を示す概略断面図である。
【図９】図８の側面方向から見た概略構成図である。
【図１０】図８の被破砕物が破砕される状態を示す概略断面図である。
【図１１】図１０の側面方向から見た使用状態を示す概略構成図である。
【図１２】図１を矢印Ｂの方向から見た、一部切り欠いて断面で示す使用状態を示すもので、被破砕物が破砕される前の概略断面図である。
【図１３】図１２の側面方向から見た概略構成図である。
【図１４】図１２の被破砕物が破砕される状態を示す概略断面図である。
【図１５】図１４の側面方向から見た使用状態を示す概略構成図である。
【図１６】図３の使用状態を示す概略断面図である。
【符号の説明】
【００２４】
１        破砕装置
９        回転軸
14        回転軸
17        保持室
18        被破砕物
21        破砕室
22        破砕ロータ
23        破砕ロータ
24        切欠部
26        挟持体
30        間隙部
47        中空部
【図１】
2006314930.tif 000003
【図２】
2006314930.tif 000004
【図３】
2006314930.tif 000005
【図４】
2006314930.tif 000006
【図５】
2006314930.tif 000007
【図６】
2006314930.tif 000008
【図７】
2006314930.tif 000009
【図８】
2006314930.tif 000010
【図９】
2006314930.tif 000011
【図１０】
2006314930.tif 000012
【図１１】
2006314930.tif 000013
【図１２】
2006314930.tif 000014
【図１３】
2006314930.tif 000015
【図１４】
2006314930.tif 000016
【図１５】
2006314930.tif 000017
【図１６】
2006314930.tif 000018